(57)【特許請求の範囲】
【請求項１】
目盛り盤と、
この目盛り盤の裏面側に設けられて当該目盛り盤の開口部を通り回動可能に延出する指針軸を有する回動内機と、
前記目盛り盤の表面に沿い回動するように前記指針軸の先端部に回動基部にて支持される発光指針と、
前記目盛り盤の裏面側にて前記開口部を介し前記回動基部に対向するように配設された複数の光源とを備える指示計器において、
前記回動基部と前記各光源との間に介装されて、前記回動基部に対向する部材本体と、この部材本体の前記各光源側端面から前記各光源に向け隆起形成された各凸レンズ部とを有する導光部材を具備しており、
前記各凸レンズ部は対応の前記各光源の光を前記部材本体内にその各光源側端面から入射し、前記部材本体はその入射光をその前記回動基部側端面から前記発光指針内にその回動基部から入射する指示計器であって、
前記目盛り盤の開口部の外周部とその裏面側に位置する適宜な静止部材との間に挟持された筒体を備え、
前記導光部材は、前記部材本体の前記回動基部側端面にて、前記目盛り盤の開口部の外周部にその表面側から係合していることを特徴とする指示計器。
【請求項２】
前記部材本体は、前記指針軸を包囲するように筒状に形成されており、前記各光源は前記指針軸の周りに配列されており、前記各凸レンズ部は、前記部材本体の前記各光源側端面から前記各光源に向け隆起形成されていることを特徴とする請求項１に記載の指示計器。
【請求項３】
目盛り盤と、
この目盛り盤の裏面側に設けられて当該目盛り盤の開口部を通り回動可能に延出する指針軸を有する回動内機と、
前記目盛り盤の表面に沿い回動するように前記指針軸の先端部に回動基部にて支持される発光指針と、
前記目盛り盤の裏面側にて前記開口部を介し前記回動基部に対向するように配設された複数の光源とを備える指示計器において、
前記回動基部と前記各光源との間に介装されて、前記回動基部に対向する部材本体と、この部材本体の前記各光源側端面から前記各光源に向け隆起形成された各凸レンズ部とを有する導光部材を具備しており、
前記各凸レンズ部は対応の前記各光源の光を前記部材本体内にその各光源側端面から入射し、前記部材本体はその入射光をその前記回動基部側端面から前記発光指針内にその回動基部から入射する指示計器であって、
前記部材本体は、前記指針軸を包囲するように筒状に形成されており、前記各光源は前記指針軸の周りに配列されており、前記各凸レンズ部は、前記部材本体の前記各光源側端面から前記各光源に向け隆起形成されていることを特徴とする指示計器。
【請求項４】
前記各光源側端面は、各光源側環状端面であり、前記導光部材は、前記部材本体のその前記各光源側環状端面にて当該環状端面の中央側から半径方向にかつ外方に向け前記各凸レンズ部を臨むようにそれぞれ形成された各反射壁を備え、これら各反射壁は、対応の前記各光源の光を入射されて前記部材本体内にその各光源側端面から入射するように反射することを特徴とする請求項２又は３に記載の指示計器。
【請求項５】
目盛り盤と、
この目盛り盤の裏面側に設けられて当該目盛り盤の開口部を通り回動可能に延出する指針軸を有する回動内機と、
前記目盛り盤の表面に沿い回動するように前記指針軸の先端部に回動基部にて支持される発光指針と、
前記目盛り盤の裏面側にて前記開口部を介し前記回動基部に対向するように配設された少なくとも１つの光源とを備える指示計器において、
前記回動基部と前記光源との間にて前記指針軸を包囲するように介装された筒状導光部材を具備しており、
この導光部材は、前記回動基部に対向する筒状部材本体と、この部材本体の前記光源側環状端面から前記光源に向け隆起形成されて当該光源の光を前記導光部材内にその光源側環状端面から入射する凸レンズ部とを備え、
前記部材本体は、前記光源側環状端面の一部に傾斜状に形成されて前記部材本体を通しその前記回動基部側端面及び前記光源を臨む傾斜面を備えることを特徴とする指示計器。
【請求項６】
前記導光部材は、前記部材本体の前記光源側環状端面にて当該環状端面の中央側から半径方向にかつ外方に向け前記凸レンズ部を臨むように形成された反射壁を備え、この反射壁は前記光源の光を入射されて前記部材本体内にその光源側端面から入射するように反射することを特徴とする請求項５に記載の指示計器。
【請求項７】
前記目盛り盤にその裏面に沿い設けた導光板を備え、
前記回動内機は、その指針軸を、前記導光板及び目盛り盤の各開口部を通して回動可能に延出してなり、
前記導光板は、前記開口部にて前記筒状導光部材を一体に備えていることを特徴とする請求項５又は６に記載の指示計器。
【発明の詳細な説明】
【０００１】
【発明の属する技術分野】
本発明は指示計器に関するものである。
【０００２】
【従来の技術】
従来、例えば、車両用指示計器には、特開平８−３２７４０９号公報にて示すようなものがある。
【０００３】
この指示計器では、発光指針は、その回動基部にて、目盛り盤の貫通穴部を通り回動内機から延出する指針軸の先端部に支持されている。また、導光壁部が、発光指針の回動基部の裏面側にて、目盛り盤の貫通穴部に同軸的に設けられており、この導光壁部は、その裏面側の複数の光源の光を導光して発光指針内にその回動基部から入射する。
【０００４】
【発明が解決しようとする課題】
ところで、上記指示計器では、各光源が導光壁部の裏面に沿い周方向に間隔をおいて位置しており、しかも、当該導光壁部の各光源側端面は単純な平面となっている。このため、導光壁部は、各光源の光に対して空気と実質的に同様の単純な光学的機能を発揮するにすぎない。
【０００５】
従って、上述のように各光源が互いに間隔をおいて位置していると、各光源から導光されて導光壁部から出射する光は導光壁部の出射面全体において均一とならず、導光壁部の各光源に対応する部分では明るくなり、導光壁部の各隣接光源の間に対応する部分では暗くなる。このため、導光壁部から発光指針の回動基部への入射光は均一にはならないという不具合がある。
【０００６】
また、上述のように光源が複数でなく例えば１つである場合でも、導光壁部の光源に対応する部分では明るくなり、導光壁部の光源に対応しない部分では暗くなる。従って、導光壁部から発光指針の回動基部への入射光は均一にはならない。
【０００７】
そこで、本発明は、このようなことに対処するため、発光指針の回動基部への入射光を均一なものとするようにした指示計器を提供することを目的とする。
【０００８】
【課題を解決するための手段】
上記課題の解決にあたり、請求項１乃至４に記載の発明に係る指示計器は、
目盛り盤と、
この目盛り盤の裏面側に設けられて当該目盛り盤の開口部を通り回動可能に延出する指針軸を有する回動内機と、
目盛り盤の表面に沿い回動するように指針軸の先端部に回動基部にて支持される発光指針と、
目盛り盤の裏面側にて上記開口部を介し上記回動基部に対向するように配設された複数の光源とを備える。
【０００９】
当該指示計器において、上記回動基部と各光源との間に介装されて、上記回動基部に対向する部材本体と、この部材本体の各光源側端面から各光源に向け隆起形成された各凸レンズ部とを有する導光部材を具備している。また、各凸レンズ部は対応の各光源の光を部材本体内にその各光源側端面から入射し、部材本体はその入射光をその回動基部側端面から発光指針内にその回動基部から入射する。
【００１０】
これにより、各光源の光は、各凸レンズ部の上記光学的作用のため、各光源の間に対応する領域で暗くなったりすることなく、導光部材から均一な光として回動基部に入射され得る。
【００１１】
そして、請求項１に記載の発明によれば、目盛り盤の開口部の外周部とその裏面側に位置する適宜な静止部材との間に挟持された筒壁を備え、導光部材は、部材本体の回動基部側端面にて、目盛り盤の開口部の外周部にその表面側から係合している。これにより、目盛り盤の発光指針側への浮き上がりを防止しつつ上記した作用効果を達成できる。
【００１２】
また、請求項２、３に記載の発明によれば、部材本体は、指針軸を包囲するように筒状に形成されており、各光源は指針軸の周りに配列されており、各凸レンズ部は、部材本体の各光源側端面から各光源に向け隆起形成されている。
【００１３】
また、請求項４に記載の発明によれば、請求項２又は３に記載の指示計器において、前記各光源側端面は、各光源側環状端面であり、導光部材は、部材本体のその各光源側環状端面にて当該環状端面の中央側から半径方向にかつ外方に向け各凸レンズ部を臨むようにそれぞれ形成された各反射壁を備え、これら各反射壁は、対応の各光源の光を入射されて部材本体内にその各光源側端面から入射するように反射する。
【００１４】
これにより、各光源の光を各凸レンズ部だけでなく各反射壁によっても導光部材内に入射することなる。従って、各光源の光利用率を高めることができる。
【００１５】
また、請求項５に記載の発明に係る指示計器は、
目盛り盤と、
この目盛り盤の裏面側に設けられて当該目盛り盤の開口部を通り回動可能に延出する指針軸を有する回動内機と、
目盛り盤の表面に沿い回動するように指針軸の先端部に回動基部にて支持される発光指針と、
目盛り盤の裏面側にて上記開口部を介し上記回動基部に対向するように配設された少なくとも１つの光源とを備える。
【００１６】
当該指示計器において、上記回動基部と光源との間にて指針軸を包囲するように介装された筒状導光部材を具備している。そして、この導光部材は、上記回動基部に対向する筒状部材本体と、この部材本体の光源側環状端面から光源に向け隆起形成されて当該光源の光を導光部材内にその光源側環状端面から入射する凸レンズ部とを備える。
【００１７】
また、部材本体は、その光源側環状端面の一部に傾斜状に形成されて部材本体を通しその回動基部側端面及び光源を臨む傾斜面を備える。
【００１８】
これにより、光源の光は凸レンズ部だけでなく部材本体の反射面によっても当該部材本体内に入射されるので、部材本体の反射面側に凸レンズ部や光源を別途設けなくても、光源の光の利用率を高めることができる。
【００１９】
また、請求項６に記載の発明によれば、請求項５に記載の指示計器において、導光部材は、部材本体の光源側環状端面にて当該環状端面の中央側から半径方向にかつ外方に向け凸レンズ部を臨むように形成された反射壁を備え、この反射壁は光源の光を入射されて部材本体内にその光源側端面から入射するように反射する。
【００２０】
これにより、光源の光は凸レンズ部及び部材本体の反射面だけでなく反射壁によっても部材本体内に入射されるので、より一層光源の光の利用率を高めることができ、その結果、請求項５に記載の発明の作用効果をより一層向上できる。
【００２１】
また、請求項７に記載の発明によれば、請求項５又は６に記載の指示計器において、目盛り盤にその裏面に沿い設けた導光板を備え、回動内機は、その指針軸を、導光板及び目盛り盤の各開口部を通して回動可能に延出してなり、導光板は、その上記開口部にて筒状導光部材を一体に備えている。これにより、導光板を有効に活用しつつ請求項５又は６に記載の発明の作用効果を達成できる。
【００２２】
【発明の実施の形態】
以下、本発明の各実施形態を図面に基づいて説明する。
（第１実施形態）
図１乃至図７は、本発明が自動車用コンビネーションメータに適用された一実施形態を示している。このコンビネーションメータは、当該自動車の車室内のインストルメントパネルに配設されており、当該コンビネーションメータは、図１及び図２にて示すごとく、計器板１０並びにこの計器板１０に配設した車速計２０、インジケータ３０及び回転計４０を備えている。
【００２３】
車速計２０は、計器板１０に形成された目盛り盤２０ａと、計器板１０の裏面側にて目盛り盤２０ａに対応する位置に設けた回動内機２０ｂとを備えている。目盛り盤２０ａは、計器板１０の図１にて図示左側部に設けられている。なお、計器板１０のうち目盛り盤２０ａ及び後述するインジケータ部３０ａ並びに目盛り盤４０ａを除く部分は黒色となっている。
【００２４】
目盛り盤２０ａは、当該自動車の車速を表示する略円弧状目盛り部２１を備えており、この目盛り部２１の目盛りや文字は黒色となっている。なお、目盛り盤２０ａは、目盛り部２１の目盛りや文字を除き光を透過するようになっている。
【００２５】
回動内機２０ｂは、駆動部２２と、指針軸２３とを備えており、指針軸２３は、駆動部２２から後述する回路基板７０の貫通穴部７１、リフレクタ６０の内側筒体６３、導光板５０の開口部５１及び計器板１０の開口部１１（目盛り盤２０ａの開口部１１でもある）を通り上方へ回動可能に延出している。但し、回動内機２０ｂはケーシング８０内に支持されている。なお、駆動部２２は、入力に応じた電磁力に基づき指針軸２３を回動する。また、ケーシング８０は、回路基板７０、リフレクタ６０、導光板５０及び計器板１０を介し環状の見返し板９０に同軸的に組み付けられている。
【００２６】
また、車速計２０は、発光指針２０ｃを備えており、この発光指針２０ｃは、指針本体２４と、カバー２５とを有している。指針本体２４は、透明の導光樹脂材料により長手状に形成されており、この指針本体２４は、その回動基部２４ａのボスにて、指針軸２３の先端部に支持されている。この指針本体２４の回動基部２４ａは、図２にて示すごとく、傾斜面２４ｂを備えており、この傾斜面２４ｂは反射面としての役割を果たす。
【００２７】
カバー２５は、指針本体２４を被覆してなるもので、このカバー２５は、指針本体２４の指針部２４ｃの上面に対応する上壁にてスリット２５ａを有している。これにより、発光指針２０ｃにおいては、指針本体２４の回動基部２４ａ内にその裏面から光が入射すると、この光は傾斜面２４ｂにより反射されて指針部２４ｃ内に進む。これに伴い、指針部２４ｃ内の光はカバー２５のスリット２５ａを通り出射する。このことは、指針部２４ｃが、スリット２５ａからの出射光でもって光ることを意味する。なお、図２にて符号２６はバランサを示す。
【００２８】
導光板５０は、計器板１０にその裏面に沿い配設されており、この導光板５０は、開口部５１にて、指針軸２３を挿通させるようにこの指針軸と同心的に位置している。なお、導光板５０は、導光性樹脂材料により形成されている。
【００２９】
リフレクタ６０は、図２にて示すごとく、環状枠６０ａを備えており、この環状枠６０ａは、その図２にて図示上端にて、反射板６０ｂを備えている。反射板６０ｂは、断面八の字状の反射板部６１を備えており、この反射板部６１は、導光板５０の裏面から下方に向け末すぼまり状に延出している。ここで、反射板部６１は、目盛り盤１０ａのうち発光指針２０ｃの回動範囲に対応する導光板５０の裏面に沿い、円弧状に形成されている。
【００３０】
また、反射板６０ｂは、導光板５０の開口部５１に対応する位置にて、外側筒体６２を備えており、この外側筒体６２は、目盛り盤１０ａの開口部１１の外周部とこれに対する回路基板７０の対向部分との間に挟持されている。また、反射板６０ｂは、上記内側筒体６３を備えており、この内側筒体６３は、外側筒体６２内にて指針軸２３と同心的に位置して、外側筒体６２の環状低壁６２ａの内周部から立ち上がっている。なお、反射板部６１の表面、外側筒体６２の内面及び内側筒体６３の外周面を含め、反射板６０ｂの表面（導光板５０側面）は白色印刷材料により印刷処理が施されている。
【００３１】
回路基板７０は、ケーシング８０とリフレクタ６０との間に挟持されているもので、この回路基板７０は、駆動部２２上に沿い計器板１０に平行に位置している。
【００３２】
複数の光源８１は、リフレクタ６０の反射板部６１の円弧状の下端開口部６１ａ内にその円弧方向に沿い間隔をおいて位置するように回路基板７０の表面に設けられており、これら各光源８１は円弧状反射板部６１内に発光する。
【００３３】
また、三つの光源８２（図２及び図３では１つのみを示す）は、両筒体６２、６３の間において、外側筒体６２の低壁６２ａの開口部内にて、回路基板７０の表面（導光板５０側面）に間隔をおいて設けられており、これら各光源８２は、発光指針２０ｃの回動基部２４ａの裏面に向けて発光する。但し、本第１実施形態では、発光指針２０ｃが、その回動基部２４ａのうち指針軸２３の後方側部分にて、後述する導光部材１００からの光を導入するようになっていること、及び発光指針２０ｃが、図１にて示すごとく、目盛り部２１の目盛り範囲に亘り回動することを考慮して、各光源８２は、図１にて図示破線で示す位置にあるように、円弧状に間隔をおいて円弧方向に配列されている。
【００３４】
導光部材１００は、図２及び図３にて示すごとく、導光材料により形成した筒体からなるもので、この導光部材１００は、両筒体６２、６３間に収容組み付けされている。導光部材１００は、図４乃至図７にて示すごとく、部材本体１０１と、この部材本体１０１の上端外周部から半径方向に外方に向け突出する環状フランジ１０２とにより構成されている。これにより、導光部材１００では、部材本体１０１が両筒体６２、６３間に位置し、フランジ１０２が目盛り盤２０ａの開口部１１の外周部上に着座係合している。
【００３５】
また、部材本体１０１は、図５乃至図７にて示すごとく、その内周面から複数の突起１０１ａを突出させてなるもので、この部材本体１０１の各突起１０１ａは、図３にて明瞭に示すごとく、内側筒体６３の各係合孔部６３ａ内にそれぞれ係合している。これら各係合は、フランジ１０２でもって目盛り盤２０ａの開口部１１の外周部を外側筒体６２の周壁の上端部に押さえ付けるようになされている。
【００３６】
また、部材本体１０１は、三つの凸レンズ部１０１ｂを備えており、これら各凸レンズ部１０１ｂは、部材本体１０１の環状底面（光源側環状端面）から下方にむけ凸レンズ形状に隆起形成されている。ここで、各凸レンズ１０１ｂは、各光源８２にそれぞれ対向して位置している。これにより、導光部材１０１は、各光源８２の光を、これら各光源８２にそれぞれ対向する各凸レンズ部１０１ｂにて、受光して並行光に変換して内部に導光し、環状上面（回動基部側環状端面）から発光指針２０ｃの回動基部２４ａの裏面に向けて出射する。
【００３７】
また、回転計４０も、車速計２０と実質的に同様に構成されている。この回転計４０は、計器板１０に形成した目盛り盤４０ａと、計器板１０の裏面側に配設した回動内機と、この回動内機から指針軸２３と実質的に同様に延出する指針軸の先端部に支持した発光指針４０ｃとを有しており、目盛り盤４０ａは、当該自動車のエンジンの回転数を表す略円弧状目盛り部４１を備えている。
【００３８】
インジケータ３０は、計器板１０に形成したインジケータ部３０ａを備えている。なお、図１及び図２において、符号１１０は、フロントパネルを示す。
【００３９】
このように構成した本第１実施形態においては、上記構成の導光部材１００が発光指針２０ｃの回動基部２４ａと各光源８２との間に設けられている。ここで、導光部材１００の各凸レンズ部１０１ｂは、上述のような光学的機能を発揮するように、各光源８２にそれぞれ対向して位置している。
【００４０】
従って、各光源８２が発光すると、これら各光源８２の光は、導光部材１００により、対応の各凸レンズ部１０１ｂにてそれぞれ並行光に変換されて部材本体１０１の内部に導入する。これに伴い、部材本体１０１内の各並行光は当該部材本体１０１の環状上面から発光指針２０ｃの回動基部２４ａ内に入射する。
【００４１】
この場合、各光源８２の光が、上述のごとく、導光部材１００によりその各凸レンズ部１０１ｂの光学的作用のもと、並行光として回動基部２４ａに入射するので、これら各入射光は、各光源８２の間の領域にて暗くなることなく、各光源８２の光に対応して、均一な光として効率よく回動基部２４ａ内に入射し得る。
【００４２】
このため、発光指針２０ｃは、その回動位置にかかわらず、回動基部２４ａ内に入射した光に基づき、均一な輝度にて指針部２０ｃにてカバー２５のスリット２５ａを通して発光し得る。なお、上述のごとく、反射板部６１は各光源８１の光を導光板５０に向けて反射すると共に、各筒体６２、６３は各光源８２の光を導光部材１００に向けて反射するから、各光源８１、８２の光の利用率をより一層高めつつ、上記作用効果を達成できる。
【００４３】
また、上述のごとく、導光部材１００は、その部材本体１０１の各突起１０１ａにて、内側筒体６３の各係合孔部６３ａ内にそれぞれ係合してさせており、これら各係合は、フランジ１０２でもって目盛り盤２０ａの開口部１１の外周部を外側筒体６２の周壁の上端部に押さえ付けるようになされている。このため、発光指針２０ｃの回動基部２４ｂに対し各光源８２の光を導光する導光部材１００に、目盛り盤２０ｃ、ひいては計器板１０の導光部材５０からの浮き上がりを防止する役割をも兼用させることができる。なお、以上のような作用効果は、回転計４０においても同様に達成できる。
（第２実施形態）
次に、本発明の第２実施形態を図８乃至図１０に基づいて説明する。この第２実施形態では、導光部材１００Ａが、車速計２０及び回転計４０において、上記第１実施形態にて述べた導光部材１００に代えて採用されるとともに、上記第１実施形態にて述べた各光源８２のうち図６にて図示左右中央に位置する光源８２が廃止されている。
【００４４】
導光部材１００Ａは、上記第１実施形態にて述べた導光部材１００の部材本体１０１において、三つの凸レンズ部１０１ｂに代えて、図８にて図示左右の二つの凸レンズ部１０１ｃ及び図示左右の反射壁１０１ｄを採用した構成となっている。両凸レンズ部１０１ｃは、図８から分かるように、部材本体１０１の環状底面に図示左右対称に形成されており、これら各凸レンズ部１０１ｃは、図示左右の各光源８２に向けそれぞれ凸レンズ形状に隆起形成されている（図９及び図１０参照）。これにより、導光部材１０１は、左右の各光源８２の光を、これら各光源８２にそれぞれ対向する各凸レンズ部１０１ｃにて、受光して並行光に変換して内部に導光し、環状上面から発光指針２０ｃの回動基部２４ａの裏面に向けて出射する。
【００４５】
また、両反射壁１０１ｄも、図８から分かるように、部材本体１０１の環状底面に図示左右対称に形成されており、これら各反射壁１０１ｄは、回路基板７０の表面に向け部材本体１０１の環状底面から突出形成されている（図９、図１０参照）。また、左側反射壁１０１ｄは、左側凸レンズ部１０１ｃを、図８にて図示右側から左側に臨むように左側光源８２の光軸（左側凸レンズ部１０１ｃの光軸に一致する）を中心とし略半円環状に形成されており、一方、右側反射壁１０１ｄは、右側凸レンズ部１０１ｃを、図８にて図示左側から右側に臨むように右側光源８２の光軸（右側凸レンズ部１０１ｃの光軸に一致する）を中心とし略半円環状に形成されている。
【００４６】
ここで、右側反射壁１０１ｄは、図８乃至図１０から分かるように、右側凸レンズ部１０１ｃの光軸を中心とする半円環状面１０１ｅを備えており、この半円環状面１０１ｅは部材本体１０１の環状底面から垂直に延出している。また、右側反射壁１０１ｄは、図８及び図９から分かるように、半円環傾斜面１０１ｆを備えており、この半円環傾斜面１０１ｆは、半円環状面１０１ｅの先端縁から部材本体１０１の環状底面に向け半円環状面１０１ｅから傾斜状に離れるように形成されている。
【００４７】
このように構成した部材本体１０１においては、右側光源８２の光は上述のように右側凸レンズ部１０１ｃ（図９参照）に入射するが、当該右側光源８２の光は右側反射壁１０１ｄ内にも半円環状面１０１ｅから入射して半円環傾斜面１０１ｆにより部材本体１０１内で反射されて環状上面に向けて進むように、右側光源８２や右側反射壁１０１ｄの位置及びその半円環傾斜面１０１ｆの傾斜度合いが設定されている。一方、左側反射壁１０１ｄも右側反射壁１０１ｄと同様の構成にてこれと対称的に構成されており、この左側反射壁１０１ｄの位置及びその半円環傾斜面１０１ｆの傾斜度合いや左側光源８２の位置も、上述と同様に設定されている。その他の構成は上記第１実施形態と同様である。
【００４８】
このように構成した本第２実施形態において、車速計２０側にて、左右両光源８２が発光すると、これら各光源８２の光は導光部材１００Ａの部材本体１０１内にその環状底面から入射する。ここで、部材本体１０１内に入射する光の経路を、右側光源８２の光を例にとって図９を参照して説明する。
【００４９】
右側光源８２の光は、導光部材１００Ａの部材本体１０１内に右側凸レンズ部１０１ｃにより並行光に変換されて入射する（図９にて矢印ａ参照）。これと同時に、右側光源８２の光は、部材本体１０１の右側反射壁１０１ｄ内に半円環状面１０１ｅから入射する（図９にて矢印ｂ参照）。すると、この入射光は、右側反射壁１０１ｄの半円環傾斜面１０１ｆにより反射されて部材本体１０１内を進む図９にて矢印ｂ参照）。
【００５０】
このようにして、部材本体１０１内に右側凸レンズ１０１ｃ及び右側反射壁１０１ｄから入射した各光は導光部材１００Ａの環状上面から出射して発光指針２０ｃ内にその回動基部２４ａから入射する。
【００５１】
以上のようなことは、左側光源８２の光についても同様である。従って、部材本体１０１内に左側凸レンズ１０１ｃ及び左側反射壁１０１ｄから入射した各光も導光部材１００Ａの環状上面から出射して発光指針２０ｃ内にその回動基部２４ａから入射する。
【００５２】
以上説明したように、本第２実施形態では、導光部材１００Ａにおいて、その部材本体１０１の環状底面に、左右両凸レンズ部１０１ｃに加えて左右両反射壁１０１ｄを上述のように形成した。従って、左右光源８２の光は、左右両凸レンズ部１０１ｃを通り部材本体１０１内に入射する他、左右両反射壁１０１ｄを通り部材本体１０１内に入射する。
【００５３】
よって、各光源８２の光に対する利用率が向上するから、導光部材１００Ａから発光指針２０ｃ内に入射する光量も上記第１実施形態の場合に比べて増大する。その結果、発光指針２０ｃの発光輝度をより一層高めることができる。
（第３実施形態）
図１１乃至図１４は本発明の第３実施形態を示している。この第３実施形態では、導光板５０Ａが、上記第２実施形態にて述べた導光板５０及び車速計２０及び回転計４０の各導光部材１００Ａに代えて、採用されている。
【００５４】
導光板５０Ａは、車速計２０及び回転計４０に対する各対応部分において同様の構成を有しているから、導光板５０Ａのうち車速計２０に対する対応部分の構成を例にとって図１１乃至図１４に基づき説明する。
【００５５】
導光板５０Ａは、導光筒体５０ａを備えており、この導光筒体５０ａは、目盛り盤２０ａの開口部１１に対応する位置にて指針軸２３を包囲するようにこれと同軸的に導光板５０Ａに一体に形成されている。なお、当該導光筒体５０ａの外周面５２は、貫通穴部１１の内周面と一致するように位置している。
【００５６】
また、導光筒体５０ａは、図１１及び図１２にて示すごとく、凸レンズ部５３、反射壁５４及び反射面５５を備えている。凸レンズ部５３及び反射壁５４は、導光筒体５０ａの環状底面（導光板５０Ａの裏面側に対応）のうち図１１にて図示右側部に形成されており、一方反射面５５は、導光筒体５０ａの環状底面のうち図１１にて図示左側部に形成されている。
【００５７】
ここで、凸レンズ部５３は、導光筒体５０ａの底面の図１１にて図示右側部から上記第２実施形態にて述べた右側光源８２に向け凸レンズ形状に隆起形成されている。また、反射壁５４は、図１２乃至図１４にて示すごとく、導光筒体５０ａの環状底面のうち右側部から回路基板７０の表面に向け突出形成されており、この反射壁５４は、凸レンズ部５３を、図１１にて図示右側に臨むように、右側光源８２の光軸と中心として略半円環状に形成されている。
【００５８】
当該反射壁５４は、図１１及び図１３から分かるように、凸レンズ部５３の光軸を中心とする半円環状面５４ａを備えており、この半円環状面５４ａは導光筒体５０ａのの環状底面の右側部から垂直に延出している。また、反射壁５４は、半円環傾斜面５４ｂを備えており、この半円環傾斜面５４ｂは、半円環状面５４ａの先端縁から導光筒体５０ａの環状底面の右側部に向け半円環状面５４ａから傾斜状に離れるように形成されている。なお、反射壁５４は上記第２実施形態にて述べた右側反射壁１０１ｄと実質的に同様の光学的機能を有するように形成されている。また、導光板５０Ａのうち導光筒体５０ａの図１２にて図示右側部分は、導光板５０Ａの裏面側への導光筒体５０ａの突出形状にあわせて図１２にて示すごとく目盛り盤２０ａの裏面に向け断面傾斜状となっている。
【００５９】
また、反射面５５は、図１１にて示すごとく、導光筒体５０ａの環状底面の左側部にて、指針軸２３の軸を中心とする円弧面形状に形成されており、この反射面５５は、図１２にて示すごとく、導光筒体５０ａの内周面５６の基端部（回路基板７０の表面側端部）から導光板５０Ａの裏面にかけて外周面５２側及び導光筒体５０ａの環状表面（目盛り盤２０ａ側環状端面）へ向け断面傾斜状に形成されている。なお、本第３実施形態では、上記第２実施形態にて述べた左側光源８２及びリフレクタ６０のうち両筒体６２、５３は廃止されている。その他の構成は上記第２実施形態と同様である。
【００６０】
以上のように構成した本第３実施形態において、図１２にて示す導光板５０Ａの導光筒体５０ａを例にとれば、右側光源８２が発光すると、この光は右側光源８２から導光筒体５０ａの環状底面に向けて放射状に出射される。このため、当該右側光源８２の光は、導光筒体５０ａ内に凸レンズ部５３、反射壁５４及び反射面５５を介して入射する。
【００６１】
この入射経路について詳細に説明すると、右側光源８２から凸レンズ部５３に入射した光は図１２及び図１３にて示すごとく、当該凸レンズ部５３により並行光に変換されて導光筒体５０ａの内部をその環状上面に向け進む。また、右側光源８２から反射壁５４に入射する光は、半円環状面５４ａを通り反射壁５４内に入射した後この反射壁５４内にて半円環傾斜面５４ｂにより反射されて図１３にて矢印にて示すごとく導光筒体５０ａの内部をその環状上面に向けて進む。また、右側光源８２から反射面５５に入射する光は、図１２にて矢印にて示すごとく、導光筒体５０ａの中空部を通り導光筒体５０ａ内に内周面５６から入射した後反射面５５により反射されて導光筒体５０ａの内部をその環状上面に向けて進む。
【００６２】
このようにして導光筒体５０ａ内を進む凸レンズ部５３、反射壁５４及び反射面５５からの光は、当該導光筒体５０ａの環状上面から発光指針２０ｃの回動基部２４内にその裏面から入射する。
【００６３】
以上説明したように、本第３実施形態では、上述のように、凸レンズ５３及び反射壁５４を導光筒体５０ａの環状底面右側部に形成し、反射面５５を導光筒体５０ａの環状底面左側部に形成した。従って、右側光源８２の光は、凸レンズ５３及び反射壁５４を通り導光筒体５０ａ内に入射する他、反射面５５を介し導光筒体５０ａ内に入射する。
【００６４】
よって、上記第２実施形態とは異なり、左側光源８２が廃止されているものの、この光源８２に代わる反射面５５の上記反射作用のもと、右側光源８２の光に対する利用率が向上するから、導光筒体５０ａから発光指針２０ｃ内に入射する光量も上記第１実施形態の場合に比べて増大する。その結果、上記第２実施形態と実質的に同様に、発光指針２０ｃの発光輝度をより一層高めることができる。
【００６５】
（第４実施形態）
図１５乃至図１８は、本発明の第４実施形態を示している。この第４実施形態では、上記第１実施形態にて述べたリフレクタ６０の反射板６０ｂにおいて、内側筒体６３を廃止するとともに外側筒体６２のうち底壁６２ａを廃止した構成となっている（図１５参照）。また、本第４実施形態では、導光部材１２０及び４つの光源８３が、上記第１実施形態にて述べた導光部材１００及び各光源８２に代えて、採用されている（図１５参照）。
【００６６】
導光部材１２０は、図１５にて示すごとく、発光指針２０ｃの回動基部２４ａと、各光源８３との間にて、外側筒体６２内にて、同軸的に支持されており、この導光部材１２０は、図１５及び図１６にて示すごとく、環状フランジ１２１と、４つの導光柱１２２乃至１２５とを一体に有するように、導光樹脂材料により形成されている。フランジ１２１は、指針軸２３を挿通される中空穴部１２１ａを備えている（図１７参照）。なお、フランジ１２１の板厚は、各導光柱１２２乃至１２５の軸長に比べて非常に薄い。
【００６７】
各導光柱１２２乃至１２５は、互いに平行となるように、その各軸方向中央部にて、フランジ１２１と一体に形成されている。また、各導光柱１２２乃至１２５は、その軸にて、同一円周（図１７にて符号ｃ参照）上に位置しており、両導光柱１２２、１２４は、図１７にて示すごとく、フランジ１２１の中空穴部１２１ａの中心軸に対し対称的に位置している。また、両導光柱１２３、１２５は、図１７にて示すごとく、フランジ１２１の中空穴部１２１ａの両側に位置しているが、これら両導光柱１２３、１２５の各軸は、導光柱１２２の軸よりも導光柱１２４の軸側寄りに位置している。
【００６８】
各導光柱１２２乃至１２５は、その下端にて、凸レンズ部１２２ａ乃至１２５ａを備えており、これら凸レンズ部１２２ａ乃至１２５ａは、対応の各光源８３に向け凸レンズ状に隆起して形成されている。ここで、各凸レンズ部１２２ａ乃至１２５ａは、対応の各光源８３の光を並行光に変換して各導光柱１２２乃至１２５内に導入した後回動基部２４ａにその裏面から入射するようになっている。
【００６９】
また、各導光柱１２２乃至１２５の上壁１２２ｂ乃至１２５ｂは、各導光柱１２２乃至１２５の軸に直交する同一面内に位置して、発光指針２０ａの回動基部２３の裏面に対向している。各光源８３は、それぞれ、各導光柱１２２乃至１２５の凸レンズ部１２２ａ乃至１２５ａに対向するように、外側筒体６２内にて配線板７０の表面に設けられている。その他の構成は、上記第１実施形態と同様である。
【００７０】
このように構成した本第４実施形態においては、例えば、導光柱１２５は、図１８にて示すごとく、凸レンズ部１２５ａにて、対応の光源８３からの光を入射される。すると、導光柱１２５は、凸レンズ部１２５ａにて、上記光源８３の光を並行光に変換した後導入し上壁１２５ｂから発光指針２０ａ内にその回動基部２４ａから入射する。
【００７１】
同様にして、導光柱１２２は、凸レンズ部１２２ａにて、対応の光源８３の光を並行光に変換した後導入し上壁１２２ｂから発光指針２０ａ内にその回動基部２４ａから入射し、導光柱１２３は、凸レンズ部１２３ａにて、対応の光源８３の光を並行光に変換した後導入し上壁１２３ｂから発光指針２０ａ内にその回動基部２４ａから入射し、導光柱１２４は、凸レンズ部１２４ａにて、対応の光源８３の光を並行光に変換した後導入し上壁１２４ｂから発光指針２０ａ内にその回動基部２４ａから入射する。
【００７２】
ここで、各導光柱１２２乃至１２５は、フランジ１２１で一体に形成されているが、フランジ１２１は、各導光柱１２２乃至１２５の軸長に比べて非常に薄い。従って、各導光柱１２２乃至１２５は、光学的には、相互に実質的に独立している。よって、各導光柱１２２乃至１２５は、対応の各光源８３の光の広がりを招くことなく、各凸レンズ部１２２ａ乃至１２５ａにてそれぞれ独立にほぼ垂直に入射されて並行光に変換する。
【００７３】
これにより、各導光柱１２２乃至１２５内の並行光は、隣接の導光柱内に入射することなく、互いに独立の状態で、強い均一な光として、各導光柱１２２乃至１２５からそれぞれ出射して発光指針２０ａの回動基部２４ａ内に入射し得る。
【００７４】
なお、本発明の実施にあたり、コンビネーションメータに限ることなく、車速計単独の計器や回転計単独の計器に本発明を適用して実施してもよい。
【００７５】
また、本発明の実施にあたり、上記各実施形態にて述べた各光源は、発光ダイオードに限ることなく、たとえば、ランプ、冷陰極管、エレクトロルミネッセンス素子等の発光素子でもよい。
【００７６】
また、本発明の実施にあたり、各光源８２の数は上記第１実施形態にて述べたように三つに限ることなく、当該数は適宜変更してもよい。従って、この変更にあわせて凸レンズ部１０１ｂの数も変更する。
【００７７】
また、本発明の実施にあたり、各光源８２の配置位置は、上記第１及び第２実施形態にて述べた場合に限ることなく、発光指針２０ｃの回動基部への光の導入位置に応じて適宜変更してもよい。
【００７８】
また、本発明の実施にあたり、上記第３実施形態にて述べた導光筒体５０ａは、導光板５０Ａと別体であってもよい。この場合には、導光筒体５０ａに上記第１実施形態と同様に環状フランジを設けて目盛り盤２０ａの開口部１１にその表面側から着座させるようにしておく。
【図面の簡単な説明】
【図１】本発明の一実施形態を示す部分的破断正面図である。
【図２】図１にて２−２線に沿う断面図である。
【図３】図２の部分拡大図である。
【図４】図３の導光部材の側面図である。
【図５】図３の導光部材の断面図である。
【図６】図４の導光部材の平面図である。
【図７】図４の導光部材の底面図である。
【図８】本発明の第２実施形態における導光部材を回路基板（リフレクタを除く）と共に示す平面図である。
【図９】図８にて９−９線に沿う断面図である。
【図１０】図８の導光部材を右側光源８２及び回路基板と共に示す右側側面図である。
【図１１】本発明の第３実施形態を示す要部破断平面図である。
【図１２】図１１にて１２−１２線に沿う断面図である。
【図１３】図１１にて１３−１３線に沿う断面図である。
【図１４】図１１にて図示右側から見た側面図である。
【図１５】本発明の第４実施形態を示す要部破断側面図である。
【図１６】図１５の導光部材の側面図である。
【図１７】図１５の導光部材の下面図である。
【図１８】図１６の導光部材のうちの一導光柱内の光源からの光の経路を示す側面図である。
【符号の説明】
１１…開口部、２０ａ、４０ａ…目盛り盤、２０ｂ…回動内機、
２０ｃ、４０ｃ…発光指針、２３…指針軸、５０、５０Ａ…導光板、
５０ａ…導光筒体、５４、１０１ｄ…反射壁、５５…反射面、
６２…外側筒体、７０…回路基板、８２…光源、
１００、１００Ａ、１２０…導光部材、１０１…部材本体、
１０１ｂ、１２２ｂ乃至１２５ｂ…凸レンズ部、１０２…フランジ、
１２２乃至１２５…導光柱。
【図１】
0003614086.tif 000002
【図２】
0003614086.tif 000003
【図３】
0003614086.tif 000004
【図４】
0003614086.tif 000005
【図５】
0003614086.tif 000006
【図６】
0003614086.tif 000007
【図７】
0003614086.tif 000008
【図８】
0003614086.tif 000009
【図９】
0003614086.tif 000010
【図１０】
0003614086.tif 000011
【図１１】
0003614086.tif 000012
【図１２】
0003614086.tif 000013
【図１３】
0003614086.tif 000014
【図１４】
0003614086.tif 000015
【図１５】
0003614086.tif 000016
【図１６】
0003614086.tif 000017
【図１７】
0003614086.tif 000018
【図１８】
0003614086.tif 000019